(57)【要約】【課題】本発明は除湿装置に関するものであり、洗濯物が多い場合にも、洗濯物が均一に乾き易くすることを目的とするものである。【解決手段】吸気口１と排気口２を有する本体ケース３と、この本体ケース３内に設けられた除湿手段を備え、吸気口１から本体ケース３内に吸気した空気を除湿手段を介して排気口へと送風する送風手段を備え、この送風手段を除湿手段の風路風下側に設け、送風手段はスクロール形状のケーシング１４と、このケーシング１４内に設けられた羽根１６と、この羽根１６を回転させる電動機１５とから形成し、排気口２の上方に第１の風向変更手段を設け排気口２の風路風上側に第２の風向変更手段２１を設け、この第２の風向変更手段２１の風路風上側に風量分布変更手段２２を備えたものである。【選択図】図１
2010194506.tif 000002
【特許請求の範囲】
【請求項１】
吸気口と排気口を有する本体ケースと、この本体ケース内に設けられた除湿手段を備え、前記吸気口から本体ケース内に吸気した空気を前記除湿手段を介して前記排気口へと送風する送風手段を備え、この送風手段を前記除湿手段の風路風下側に設け、前記送風手段はスクロール形状のケーシングと、このケーシング内に設けられた羽根と、この羽根を回転させる電動機とから形成し、前記排気口の上方に第１の風向変更手段を設け前記排気口の風路風上側に第２の風向変更手段を設け、この第２の風向変更手段の風路風上側に風量分布変更手段を備えた除湿装置。
【請求項２】
風量分布変更手段は、前記ケーシングの舌片方向に凸形状である湾曲長方形板で、前記羽根から吹出される風向とほぼ平行に設けた請求項１に記載の除湿装置。
【請求項３】
風量分布変更手段である前記湾曲長方形板の風上側端部と羽根との距離は、前記湾曲長方形板の風上側端部と前記ケーシングのスクロール面との距離より短い距離である構成とした請求項２に記載の除湿装置。
【請求項４】
風量分布変更手段である湾曲長方形板の風下側端部と舌片側のスクロール面との距離は、湾曲長方形板の風下側端部と反舌片側のケーシングのスクロール面との距離より短い距離で構成したものである構成とした請求項２に記載の除湿装置。
【請求項５】
風量分布変更手段である前記湾曲長方形板の前記風上側端部と前記風下側端部の断面形状は、曲面形状である請求項２または３のいずれかに記載の除湿装置。
【請求項６】
第２の風向変更手段は回転自在に設けられた軸部と、この軸部に固定された複数の略円板状の風向板と、前記軸部を回動させる回動手段とから形成し、前記風向板は前記軸部の略中央部を境に略逆ハの字形状に傾斜し、前記軸部の略中央部を境に前記ケーシングの舌片側の複数の前記風向板は、前記風量分布変更手段である湾曲長方形板とほぼ平行に設けた請求項２から５のいずれか一つに記載の除湿装置。
【請求項７】
前記風量分布変更手段である前記湾曲長方形板の前記風下側端部は、前記軸部の軸方向において、前記軸部の略中央部を境に前記ケーシングの前記反舌片側の複数の前記風向板の略中央部に位置する構成とした請求項６に記載の除湿装置。
【請求項８】
第２の風向変更手段である前記風向板のうち、前記軸部の略中央部を境に前記ケーシングの前記舌片側の複数の前記風向板の傾斜角度は、前記軸部の略中央部を境に前記ケーシングの前記反舌片側の複数の前記風向板の傾斜角度より大きい構成とした請求項２から６のいずれか一つに記載の除湿装置。
【請求項９】
第２の風向変更手段である前記風向板のうち、前記軸部の略中央部を境に前記ケーシングの前記舌片側の複数の前記風向板の間隔は、前記軸部の略中央部を境に前記ケーシングの前記反舌片側の複数の前記風向板の間隔より距離が短い構成とした請求項２から６のいずれか一つに記載の除湿装置。
【発明の詳細な説明】
【技術分野】
【０００１】
本発明は、例えば衣類乾燥用として用いられる除湿装置に関するものである。
【背景技術】
【０００２】
従来この種、除湿装置の構成は以下のようになっていた。
【０００３】
吸気口と排気口を有する本体ケースと、この本体ケース内に設けられた除湿手段を備え、前記吸気口から本体ケース内に吸気した空気を前記除湿手段を介して前記排気口へと送風する送風手段を備え、この送風手段を前記除湿手段の風路風下側に設け、前記送風手段はスクロール形状のケーシングと、このケーシング内に設けられた羽根と、この羽根を回転させる電動機とから形成し、前記ケーシングの吐出口に風向変更手段を設けた構成となっていた。
【０００４】
このような従来技術としては、例えば特許文献１に記載されたものが知られている。
【特許文献１】特開２００７−２１２０７２号公報
【発明の開示】
【発明が解決しようとする課題】
【０００５】
上記従来例における課題は、洗濯物が均一に乾きにくいということであった。
【０００６】
すなわち、除湿装置は、上方向に開口した送風口より乾燥した空気を吹出し、その空気を洗濯物に当てることにより、洗濯物を乾かしていた。
【０００７】
そこで、洗濯物が多い場合には、複数の洗濯物を水平方向に並べて吊るし、その洗濯物の中央前方に除湿装置を置き、除湿装置から乾燥した空気の風向を本体の左右方向に広げ、更に、送風口の上方に位置するルーバが仰角方向に回動することによって、吹出し方向を仰角方向に変化させていた。
【０００８】
しかし、洗濯物が多い場合には、両端に吊るした洗濯物と除湿装置の距離が、中央に吊るした洗濯物と除湿装置の距離より遠くなり、中央部に吊るした洗濯物にくらべ、両端に吊るした洗濯物が乾き難くなっていた。
【０００９】
そこで本発明は、洗濯物が多い場合にも、洗濯物が均一に乾き易くすることを目的とするものである。
【課題を解決するための手段】
【００１０】
そして、この目的を達成するために本発明は、吸気口と排気口を有する本体ケースと、この本体ケース内に設けられた除湿手段を備え、前記吸気口から本体ケース内に吸気した空気を前記除湿手段を介して前記排気口へと送風する送風手段を備え、この送風手段を前記除湿手段の風路風下側に設け、前記送風手段はスクロール形状のケーシングと、このケーシング内に設けられた羽根と、この羽根を回転させる電動機とから形成し、前記ケーシングの吐出口に風向変更手段を設け、この風量分布変更手段の風上側に風量分布変更手段を備えたものであり、これにより初期の目的を達成するものである。
【発明の効果】
【００１１】
以上のように本発明は、吸気口と排気口を有する本体ケースと、この本体ケース内に設けられた除湿手段を備え、前記吸気口から本体ケース内に吸気した空気を前記除湿手段を介して前記排気口へと送風する送風手段を備え、この送風手段を前記除湿手段の風路風下側に設け、前記送風手段はスクロール形状のケーシングと、このケーシング内に設けられた羽根と、この羽根を回転させる電動機とから形成し、前記排気口の上方に第１の風向変更手段を設け前記排気口の風路風上側に第２の風向変更手段を設け、この第２の風向変更手段の風路風上側に風量分布変更手段を備えたものである。
【００１２】
すなわち、排気口の風路風上側に第２の風向変更手段を設け、この第２の風向変更手段の風路風上側に風量分布変更手段を備えている。これにより、ケーシングの吐出口より吹出す空気は、まず、風量分布変更手段により吐出口での風量分布を変化させ、次にその空気を第２の風向変更手段によって、風向を変化させることができ、結論として、本体ケースの排気口から吹出す空気は、排気口に対して垂直方向に吹出す風量より、排気口に対して本体の左右方向に広がり吹出す風量が多くなる。
【００１３】
これらの結果により、洗濯物が多い場合にも、洗濯物が均一に乾き易くすることが出来る。
【発明を実施するための最良の形態】
【００１４】
以下、本実施形態を添付図面を用いて説明する。
【００１５】
（実施の形態１）
図１〜図３に示すように、本実施形態の除湿装置は、吸気口１と排気口２を有する本体ケース３と、この本体ケース３内に設けられたヒートポンプ４とを備えている。このヒートポンプ４は、圧縮機５と、放熱器６、膨張手段７、吸熱器８とにより形成している。第１の送風手段９Ａによって、吸気口１から本体ケース３内に吸気した空気を放熱器６、吸熱器８を順次介して排気口２へと送風され、また、第２の送風手段９Ｂによって、吸気口１から本体ケース３内に吸気した空気を放熱器６を介して排気口２へと送風される。このように、第１の送風手段９Ａと第２の送風手段９Ｂとによって排気口２へと送風された空気は、その排気口２で混ざり合い室内へ排気される。
【００１６】
第１の送風手段９Ａの風路であって放熱器６と吸熱器８との間には、回動自在に除湿ローター１０を設けており、この除湿ローター１０は放湿部１１と吸湿部１２とを備えている。
【００１７】
放湿部１１は放熱器６と吸熱器８との間の風路に、吸湿部１２は吸熱器８と排気口２との間の風路に設けられており、放熱器６と放湿部１１の間には加熱手段であるヒーター１１Ａを設けた構成としている。
【００１８】
すなわち、以上の構成の除湿手段において、第１の送風手段９Ａにより吸気口１から本体ケース３内に吸気した空気は、放熱器６で加熱された後にヒーター１１Ａで更に加熱され、高温で相対湿度の低い空気となり、除湿ローター１０の放湿部１１へ送風される。更に、この放湿部１１に送風された空気は、放湿部１１の湿気を取り込み湿度の高い状態となって吸熱器８へ送られる。この吸熱器８で結露させて除湿し、吸湿部１２に達する。そこで、乾燥状態となった除湿ローター１０の放湿部１１が駆動手段１３によって回転し、吸湿部１２となり、この吸湿部１２で吸熱器８で除湿されなかった湿度を吸湿し除湿する。
【００１９】
第１の送風手段９Ａと第２の送風手段９Ｂとはケーシング１４内に配設された１つの電動機１５と、この電動機１５の回転軸に固定された１つの羽根１６とにより形成されている。すなわち、羽根１６は主板の両側に第１の送風手段９Ａにあたる第１の羽根部１６Ａと、第２の送風手段９Ｂにあたる第２の羽根部１６Ｂとを備えている。ケーシングの吐出口１７は上方向に開口し、第１の羽根部１６Ａにより送風される第１の吐出口１７Ａと、第２の羽根部１６Ｂにより送風される第２の吐出口１７Ｂとが隣接し、１つの開口として形成している。これら第１の吐出口１７Ａおよび第２の吐出口１７Ｂより吹出された空気が、排気口２で混じりあうことになる。この排気口２の上方に所定間隔をおいて第１の風向変更手段であるルーバー１８が回動自在に設けられている。このルーバー１８は、略横長平板形状で本体ケース３前面側の両側端部に回動軸部１９を備えている。この回動軸部１９と連結した駆動手段２０によって、ルーバー１８は回動軸部１９を中心に仰角方向に回動する。すなわち、排気口２から吹出す空気は、仰角方向に風向を変化させながら室内に吹出すものである。
【００２０】
本実施形態における特徴点は、排気口２の風路風上側に第２の風向変更手段２１を設け、この第２の風向変更手段２１の風路風上側に風量分布変更手段２２を備えた点である。
【００２１】
これにより、ケーシングの吐出口１７より吹出す空気は、まず、風量分布変更手段２２により吐出口１７での風量分布を変化させ、次にその空気を第２の風向変更手段２１によって、風向を変化させることができ、結論として、本体ケースの排気口２から吹出す空気は、排気口２に対して垂直方向に吹出す風量より、排気口２に対して本体の左右方向に広がり吹出す風量が多くなる。
【００２２】
これらの結果により、洗濯物が多い場合にも、洗濯物が均一に乾き易くすることが出来る。
【００２３】
また、図４、５に示すように、風量分布変更手段２２は、ケーシング１４の舌片１４Ａ方向に凸形状である湾曲長方形板２３で、羽根１６から吹出される風向とほぼ平行に設けたものである。具体的には、排気口２の風路風上側である第２の吐出口１７Ｂに第２の風向変更手段２１を設け、この第２の風向変更手段２１の風路風上側である第２の羽根部１６Ｂにより送風される第２の吐出口１７Ｂに風量分布変更手段２２を備えている。この風量分布変更手段２２は、湾曲長方形板２３でケーシング１４の舌片１４Ａ方向に凸形状であり、第２の送風手段９Ｂにあたる第２の羽根部１６Ｂから吹出される風向とほぼ平行に設けたものである。これにより、第２の羽根部１６Ｂより吹出された空気は、風量分布変更手段２２である湾曲長方形板２３を境に、ケーシング１４の第２の吐出口１７Ｂで、風量分布変更手段２２である湾曲長方形板２３とケーシング１４の舌片１４Ａとの間を流れる空気流である舌片側空気流２４と、風量分布変更手段２２である湾曲長方形板２３とスクロール側壁の終端部である反舌片１４Ｂ側との間を流れる空気流である反舌片側空気流２５とに分かれて流れる。
【００２４】
ここで、舌片側空気流２４の一部は、湾曲長方形板のケーシング１４の舌片１４Ａ方向に凸形状である凸形状部分２３Ａに当たることによって、舌片１４Ａ側に向きを変えて流れる。また、反舌片側空気流２５の一部は、湾曲長方形板の風上側端部２３Ｃに当たり、湾曲長方形板２３の風上側端部２３Ｃ付近で空気の渦が発生し、乱流である乱流部２６が発生する。この乱流部２６の一部は反舌片側の凸形状である凹形状部分２３Ｂに沿って流れるので、ケーシング１４の舌片１４Ａ方向に広がりながら流れる。つまり、反舌片側空気流２５は、湾曲長方形板２３の風上側端部２３Ｃ付近で発生する乱流部２６と、ケーシング１４のスクロール側壁側を流れるスクロール側壁側空気流２７に分かれるものと考えられる。
【００２５】
これにより、本体ケース３の左右方向に対して、左右端部側を流れる舌片側空気流２４とスクロール側壁側空気流２７とは、中央部分を流れる乱流部２６より風量が多くなるので、本体ケースの排気口２から吹出す空気は、排気口２に対して垂直方向に吹出す風量より、排気口２に対して本体の左右方向に広がり吹出す風量を多くすることができると考えられる。
【００２６】
また、風量分布変更手段２２である湾曲長方形板２３の風上側端部２３Ｃと羽根１６との距離は、湾曲長方形板の風上側端部２３Ｃとケーシング１４のスクロール面２８との距離より短い距離で構成したものである。すなわち、第２の羽根部１６Ｂより吹出された空気は、風量分布変更手段２２である湾曲長方形板２３を境に、ケーシング１４の第２の吐出口１７Ｂで、風量分布変更手段２２である湾曲長方形板２３の風上側端部２３Ｃと羽根１６との間を流れる空気流である舌片側空気流２４より、風量分布変更手段２２である湾曲長方形板２３の風上側端部２３Ｃとスクロール側壁の終端部である反舌片１４Ｂ側との間を流れる空気流である反舌片側空気流２５の方が、風向に対して垂直方向の断面積である風路面積が大きくなる。これにより、舌片側空気流２４より反舌片側空気流２５の方が風量が多くなり、この多い風量分が排気口２に対して垂直方向に吹出す風量となり、結果として、本体ケース３に対して、左右端部側を流れる舌片側空気流２４とスクロール側壁側空気流２７の風量がほぼ同じにすることができる。
【００２７】
また、風量分布変更手段２２である湾曲長方形板２３の風下側端部２３Ｄと舌片１４Ａ側のスクロール面との距離は、湾曲長方形板２３の風下側端部２３Ｄと反舌片１４Ｂ側のケーシング１４のスクロール面との距離より短い距離で構成したものである。すなわち、第２の羽根部１６Ｂより吹出された空気は、風量分布変更手段２２である湾曲長方形板２３を境に、ケーシング１４の第２の吐出口１７Ｂで、風量分布変更手段２２である湾曲長方形板２３の風下側端部２３Ｄと舌片１４Ａとの間を流れる空気流である舌片側空気流２４より、風量分布変更手段２２である湾曲長方形板２３の風下側端部２３Ｄとスクロール側壁の終端部である反舌片１４Ｂ側との間を流れる空気流である反舌片側空気流２５の方が、風向に対して垂直方向の断面積である風路面積が大きくなる。これにより、この多い風路面積部分から排気口２に対して垂直方向に吹出す乱流部２６が吹出すので、この乱流部２６はケーシング１４の第２の吐出口１７Ｂのほぼ中央部から吹出すことができる。
【００２８】
また、第２の風量分布変更手段２２である湾曲長方形板２３の風上側端部２３Ｃと風下側端部２３Ｄの断面形状は、曲面形状である。具体的には、半円形の曲面形状である。これにより、湾曲長方形板２３の風上側端部２３Ｃと風下側端部２３Ｄでの風きり音を抑制することが出来る。
【００２９】
また、図６に示すように、第２の風向変更手段２１は回転自在に設けられた軸部２９と、この軸部２９に固定された複数の略円板状の風向板３０と、軸部２９を回動させる回動手段３１とから形成し、風向板３０は軸部２９の略中央部を境に略逆ハの字形状に傾斜し、軸部の略中央部を境にケーシング１４の舌片１４Ａ側の複数の風向板３０は、風量分布変更手段２２である湾曲長方形板２３とほぼ平行に設けたものである。
【００３０】
具体的には、第２の風向変更手段２１は、円柱形状の軸部２９と、この軸部２９に固定された複数の略円板状の風向板３０と、軸部２９を回動させる回動手段３１である電動機とから形成している。軸部２９は、両端部が排気口２の風路風上側の側面部の孔３２に嵌りこみ、回転自在に装着されている。風向板３０は軸部２９の略中央部を境に略逆ハの字形状に傾斜しており、回動手段３１である電動機によって、風向を本体ケースの左右方向に広げる場合には、本体ケース３前面側から見て、略逆ハの字形状に傾斜するように軸部２９を回転させ、風向を本体ケース３の中央方向に集める場合には、本体ケース３前面側から見て、略ハの字形状に傾斜するように軸部２９を回転させるものである。
【００３１】
また、風量分布変更手段２２である湾曲長方形板２３の風下側端部２３Ｄは、軸部２９の軸方向において、軸部２９の略中央部を境にケーシング１４の反舌片１４Ｂ側の複数の風向板３０の略中央部に位置する構成としたものであり、具体的には、反舌片側空気流２５および乱流部２６が、軸部２９の略中央部を境にケーシング１４の反舌片１４Ｂ側の複数の風向板３０に当たる位置に構成されている。
【００３２】
例えばここで、軸部２９の略中央部を境にケーシング１４の舌片１４Ａ側の複数の風向板３０は、風量分布変更手段２２である湾曲長方形板２３とほぼ平行でなく、湾曲長方形板２３の風上側端部２３Ｃ付近で発生する乱流部２６の空気流の方向に対して、第２の風向変更手段２１の軸部２９を垂直な位置に設けた場合には、風量の少ない乱流部２６の風向を変化させることなく、風量の多い舌片側空気流２４と、反舌片側空気流２５との風向を変化させなければいけないので、軸部２９の略中央部を境に略逆ハの字形状に傾斜した、両側の風向板３０で風きり音が発生する。
【００３３】
しかし、軸部２９の略中央部を境にケーシングの舌片１４Ａ側の複数の風向板３０を、風量分布変更手段２２である湾曲長方形板２３とほぼ平行に設けた場合には、風量の少ない乱流部２６と、風量の多い反舌片側空気流２５は、軸部２９の略中央部を境にケーシング１４の反舌片１４Ｂ側の複数の風向板３０により、風向が変化するが、舌片側空気流は２４、軸部２９の略中央部を境にケーシング１４の舌片１４Ａ側の複数の風向板３０により風向が変化することが無く、整流されるので、これら舌片１４Ａ側の複数の風向板３０での風きり音を抑制することができる。
【００３４】
また、第２の風向変更手段２１である風向板３０のうち、軸部２９の略中央部を境にケーシング１４の反舌片１４Ｂ側の複数の風向板３０の傾斜角度は、軸部２９の略中央部を境にケーシング１４の舌片１４Ａ側の複数の風向板３０の傾斜角度より小さい構成としたものである。具体的には、軸部２９に対して風向板３０が垂直に取り付いた状態から、風向板３０が傾斜した角度が、軸部２９の略中央部を境にケーシング１４の反舌片１４Ｂ側の複数の風向板３０は、軸部２９の略中央部を境にケーシング１４の舌片１４Ａ側の複数の風向板３０より小さいというものである。これにより、これら反舌片１４Ｂ側の複数の風向板３０での風きり音を抑制することができる。
【００３５】
また、第２の風向変更手段２１である風向板３０のうち、軸部２９の略中央部を境にケーシング１４の舌片１４Ａ側の複数の風向板３０の間隔は、軸部２９の略中央部を境にケーシング１４の反舌片１４Ｂ側の複数の風向板３０の間隔より距離が短い構成としたものである。ここで、風向を本体ケース３の中央方向に集める場合には、本体ケース３前面側から見て、略ハの字形状に傾斜するように軸部２９を回転させることによって、風向を中央方向に変更する。風量分布変更手段２２である湾曲長方形板２３と舌片１４Ａとの間を流れる空気流である舌片側空気流２４は、風量分布変更手段２２である湾曲長方形板２３とスクロール側壁の終端部である反舌片１４Ｂ側との間を流れる空気流である反舌片側空気流２５部に比べ風向変更角度が大きいが、複数の風向板３０の間隔が狭いので、風向を中央方向に変更することが可能となる。
【産業上の利用可能性】
【００３６】
本発明は、吸気口と排気口を有する本体ケースと、この本体ケース内に設けられた除湿手段を備え、前記吸気口から本体ケース内に吸気した空気を前記除湿手段を介して前記排気口へと送風する送風手段を備え、この送風手段を前記除湿手段の風路風下側に設け、前記送風手段はスクロール形状のケーシングと、このケーシング内に設けられた羽根と、この羽根を回転させる電動機とから形成し、前記排気口の上方に第１の風向変更手段を設け前記排気口の風路風上側に第２の風向変更手段を設け、この第２の風向変更手段の風路風上側に風量分布変更手段を備えたものである。
【００３７】
すなわち、排気口の風路風上側に第２の風向変更手段を設け、この第２の風向変更手段の風路風上側に風量分布変更手段を備えている。これにより、ケーシングの吐出口より吹出す空気は、まず、風量分布変更手段により吐出口での風量分布を変化させ、次にその空気を第２の風向変更手段によって、風向を変化させることができ、結論として、本体ケースの排気口から吹出す空気は、排気口に対して垂直方向に吹出す風量より、排気口に対して本体の左右方向に広がり吹出す風量が多くなる。
【００３８】
これらの結果により、洗濯物が多い場合にも、洗濯物が均一に乾き易くすることが出来る。
【００３９】
したがって、各種除湿装置などに広く活用されるものとなる。
【図面の簡単な説明】
【００４０】
【図１】本発明の実施の形態の除湿装置の概略断面図
【図２】本発明の実施の形態の送風手段部の斜視断面図
【図３】本発明の実施の形態の第１の風向変更手段の斜視図
【図４】本発明の実施の形態の送風手段部の断面図
【図５】本発明の実施の形態の送風手段部の空気の流れを示す断面図
【図６】本発明の実施の形態の第２の風向変更手段の斜視図
【符号の説明】
【００４１】
１      吸気口
２      排気口
３      本体ケース
４      ヒートポンプ
５      圧縮機
６      放熱器
７      膨張手段
８      吸熱器
９      送風手段
９Ａ    第１の送風手段
９Ｂ    第２の送風手段
１０    除湿ローター
１１    放湿部
１１Ａ  ヒーター
１２    吸湿部
１３    駆動手段
１４    ケーシング
１４Ａ  舌片
１４Ｂ  反舌片
１５    電動機
１６    羽根
１６Ａ  第１の羽根部
１６Ｂ  第２の羽根部
１７    吐出口
１７Ａ  第１の吐出口
１７Ｂ  第２の吐出口
１８    ルーバー
１９    回動軸部
２０    駆動手段
２１    第２の風向変更手段
２２    風量分布変更手段
２３    湾曲長方形板
２３Ａ  凸形状部分
２３Ｂ  凹形状部分
２３Ｃ  風上側端部
２３Ｄ  風下側端部
２４    舌片側空気流
２５    反舌片側空気流
２６    乱流部
２７    スクロール側壁側空気流
２９    軸部
３０    風向板
３１    回動手段
【図１】
2010194506.tif 000003
【図２】
2010194506.tif 000004
【図３】
2010194506.tif 000005
【図４】
2010194506.tif 000006
【図５】
2010194506.tif 000007
【図６】
2010194506.tif 000008